(57)【要約】【課題】手軽に通信端末内の個人情報の管理を行えるようにすること【解決手段】通信端末３０は、電子計算機１０のＷｅｂブラウザに最初に表示されるＷｅｂページ上でバックアップ処理を行う旨およびバックアップ処理対象の個人情報のメニュー項目をユーザが選択した場合に、複数のメニュー項目の個人情報データを格納する個人情報格納部３１から、選択されたメニュー項目に関する全ての個人情報データを読み出し、読み出した全個人情報データを有するＷｅｂページを作成して前記電子計算機１０に送信する処理を行い、これによってユーザが、前記電子計算機１０上の操作で個人情報データをバックアップ可能とするものである。【選択図】  図１
2005057333.tif 000002
【特許請求の範囲】
【請求項１】
Ｗｅｂブラウザを装備する電子計算機と、ユーザの所有する通信端末とをインターネット接続した状態で、ユーザが前記電子計算機にて前記通信端末内の個人情報の管理を行う通信端末における個人情報管理システムであって、
前記通信端末は、前記電子計算機のＷｅｂブラウザに最初に表示されるＷｅｂページ上でバックアップ処理を行う旨およびバックアップ処理対象の個人情報のメニュー項目をユーザが選択した場合に、複数のメニュー項目の個人情報データを格納する個人情報格納部から、選択されたメニュー項目に関する全ての個人情報データを読み出し、読み出した全個人情報データを有するＷｅｂページを作成して当該電子計算機に送信する処理を行い、これによってユーザが、前記電子計算機上の操作で個人情報データをバックアップ可能とすることを特徴とする通信端末における個人情報管理システム。
【請求項２】
Ｗｅｂブラウザを装備する電子計算機と、ユーザの所有する通信端末とをインターネット接続した状態で、ユーザが前記電子計算機にて前記通信端末内の個人情報の管理を行う通信端末における個人情報管理システムであって、
前記通信端末は、前記電子計算機のＷｅｂブラウザに最初に表示されるＷｅｂページ上で登録処理を行う旨および登録処理対象の個人情報のメニュー項目をユーザが選択した場合に、当該電子計算機から受信した登録対象の個人情報データを、選択されたメニュー項目向けのフォーマットに変換後、複数のメニュー項目の個人情報データを格納する個人情報格納部内の該当メニュー項目について変換済個人情報データに基づき個人情報登録処理を行い、これによってユーザが、通信端末への個人情報データを前記電子計算機上の操作で登録可能とすることを特徴とする通信端末における個人情報管理システム。
【請求項３】
Ｗｅｂブラウザを装備する電子計算機と、ユーザの所有する通信端末とをインターネット接続した状態で、ユーザが前記電子計算機にて前記通信端末内の個人情報の管理を行う通信端末における個人情報管理システムであって、
前記通信端末は、前記電子計算機から緊急時用のアクセスが行われた場合に、複数のメニュー項目の個人情報データを格納する個人情報格納部内の全ての個人情報データを読み出し、読み出した全個人情報データを有するＷｅｂページを作成して当該電子計算機に送信し、さらに送信処理完了後に前記個人情報格納部内の全ての個人情報データを消去する処理を行い、これによってユーザが、紛失した通信端末内の個人情報データのバックアップおよび消去を前記電子計算機上の操作で可能とすることを特徴とする通信端末における個人情報管理システム。
【発明の詳細な説明】
【０００１】
【発明の属する技術分野】
本発明は、携帯電話等の通信端末に保存された個人情報を簡単に且つ効率的に通信端末から取得あるいは通信端末へ登録することが可能な通信端末における個人情報の管理システムに関するものである。
【０００２】
【従来の技術】
最近、携帯電話等の通信端末には、電話番号だけでなく、メールアドレス、画像データ、着信メロディ等の多くの個人情報が保存されているが、携帯電話の紛失や故障等といった事態が発生した場合には、この携帯電話に保存されていた全ての個人情報が失われてしまう可能性が高い。そのため、携帯電話の所有者は、自らの携帯電話内に保存されている個人情報を他の装置に取得（バックアップ）したり、バックアップした個人情報を携帯電話に再登録する、あるいはバックアップした個人情報を変更してから携帯電話に更新登録する等の作業を行うことにより、携帯電話に保存される個人情報の管理作業を適宜行う必要がある。そして、このように携帯電話の個人情報を管理する場合に用いられる管理システムとして、例えば次の先行技術文献に記載される技術が従来では利用されていた。
【０００３】
【特許文献１】
特開２０００−２６１５３８号公報
【０００４】
【発明が解決しようとする課題】
しかしながら、上記特許文献１に記載の技術によれば、携帯電話からの個人情報の取得作業および携帯電話への個人情報の登録作業を行うには、専用ケーブルによって携帯電話と外部装置とを接続する必要があり、手軽さに欠けていたため、携帯電話の所有者が、頻繁に行われるべき上記管理作業を怠ってしまうことが度々あった。
【０００５】
また、上記管理作業を怠り、個人情報をバックアップしていない状態でユーザが携帯電話を紛失してしまった場合には、この携帯電話に保存されていた全ての個人情報が失われるばかりか、拾得者によって個人情報が悪用されてしまうといった虞もある。以上より、通信端末における個人情報の管理作業を手軽に行えるようにすることが好ましく、またその必要性も高いと言える。
【０００６】
そこで、本発明の目的は、携帯電話等の通信端末に保存された個人情報の管理作業を簡単に且つ効率的に行うことができる個人情報の管理システムを提供することにある。
【０００７】
【課題を解決するための手段】
上記目的を達成するために、本発明は、Ｗｅｂブラウザを装備する電子計算機と、ユーザの所有する通信端末とをインターネット接続した状態で、ユーザが前記電子計算機にて前記通信端末内の個人情報の管理を行う通信端末における個人情報管理システムであって、前記通信端末は、前記電子計算機のＷｅｂブラウザに最初に表示されるＷｅｂページ上でバックアップ処理を行う旨およびバックアップ処理対象の個人情報のメニュー項目をユーザが選択した場合に、複数のメニュー項目の個人情報データを格納する個人情報格納部から、選択されたメニュー項目に関する全ての個人情報データを読み出し、読み出した全個人情報データを有するＷｅｂページを作成して当該電子計算機に送信する処理を行い、これによってユーザが、前記電子計算機上の操作で個人情報データをバックアップ可能とするものである。
【０００８】
また、本発明の通信端末における個人情報管理システムにおいて、前記通信端末は、前記電子計算機のＷｅｂブラウザに最初に表示されるＷｅｂページ上で登録処理を行う旨および登録処理対象の個人情報のメニュー項目をユーザが選択した場合に、当該電子計算機から受信した登録対象の個人情報データを、選択されたメニュー項目向けのフォーマットに変換後、複数のメニュー項目の個人情報データを格納する個人情報格納部内の該当メニュー項目について変換済個人情報データに基づき個人情報登録処理を行い、これによってユーザが、通信端末への個人情報データを前記電子計算機上の操作で登録可能とするものである。
【０００９】
また、本発明の通信端末における個人情報管理システムにおいて、前記通信端末は、前記電子計算機から緊急時用のアクセスが行われた場合に、複数のメニュー項目の個人情報データを格納する個人情報格納部内の全ての個人情報データを読み出し、読み出した全個人情報データを有するＷｅｂページを作成して当該電子計算機に送信し、さらに送信処理完了後に前記個人情報格納部内の全ての個人情報データを消去する処理を行い、これによってユーザが、紛失した通信端末内の個人情報データのバックアップおよび消去を前記電子計算機上の操作で可能とするものである。
【００１０】
【発明の実施の形態】
以下、本発明の一実施形態に係る通信端末における個人情報の管理システムについて、図面を参照して説明する。
【００１１】
［個人情報の管理システムの構成］
まず、本実施形態に係る通信端末における個人情報の管理システムの構成を、図１を参照して説明する。図１は通信端末における個人情報の管理システムの概略構成図である。尚、本実施形態では通信端末３０として携帯電話を例示しているが、他の種類の通信端末であっても良い。
【００１２】
本実施形態の個人情報管理システムは、パーソナルコンピュータ等の電子計算機１０と、携帯電話事業者２０と、通信端末たる携帯電話３０とから構成されており、前記電子計算機１０と携帯電話事業者２０とはインターネット４０を介して接続され、また、前記携帯電話事業者２０と携帯電話３０とは携帯電話網５０を介して接続されている。以下、各構成要素について説明する。
【００１３】
［電子計算機］
前記電子計算機１０は、携帯電話３０からの個人情報の取得（バックアップ）や、バックアップした個人情報の携帯電話３０への登録を行う際にユーザが使用する機器であり、Ｗｅｂブラウザを装備している。また、この電子計算機１０は、ＵＲＬエンコードしたデータを携帯電話３０へ送信するものである。
【００１４】
［携帯電話事業者］
前記携帯電話事業者２０には、前記電子計算機１０から通信を行う携帯電話３０を指定するＵＲＬ（例えば、携帯電話３０のメールアドレスや電話番号）がユーザによって予め登録されている。そして前記携帯電話事業者２０は、前記電子計算機１０のＷｅｂブラウザで入力された携帯電話３０を指定するＵＲＬに基づいて、前記電子計算機１０から当該携帯電話３０への通信を許可する役割を果たす。
【００１５】
［通信端末］
通信端末たる前記携帯電話３０は、図１のように、電話帳データ、画像データ及び着信メロディ等の音声データ、等の各種個人情報に関するデータが格納される個人情報格納部３１と、テンキー等のキー入力による入力操作を行うための操作部３２と、前記電子計算機１０との通信を可能とすべく携帯電話３０のインターネット接続を行うインターネット通信部３３と、前記電子計算機１０からの受信データに基づいて当該電子計算機１０へ送信するＷｅｂページを作成するＷｅｂページ作成部３４と、該Ｗｅｂページ作成部３４にて作成されたＷｅｂページを電子計算機１０へ配信するＷｅｂページ配信部３５と、を具備している。尚、本実施形態の携帯電話３０では、図１のように電話帳データ、画像データ及び音声データが個人情報格納部３１に格納されているものとする。
【００１６】
ここで、前記Ｗｅｂページ作成部３４は、前記電子計算機１０からこの携帯電話３０にアクセスした際に当該電子計算機１０のＷｅｂブラウザに最初に表示される後述の選択Ｗｅｂページ１００を作成するメニューＣＧＩプログラム３４ａと、前記電子計算機１０からの受信データに基づいて当該電子計算機１０に送信するＷｅｂページを作成する読み込みＣＧＩプログラム３４ｂと、前記電子計算機１０より受信した登録用個人情報データに基づいて個人情報格納部３１内の該当項目に個人情報データを登録する書き込みＣＧＩプログラム３４ｃと、携帯電話紛失などの緊急時に個人情報格納部３１内の全個人情報データに関するＷｅｂページを作成し、しかる後に個人情報格納部３１内の全個人情報を消去する緊急ＣＧＩプログラム３４ｄと、を備えている。
【００１７】
尚、本実施形態において、前記Ｗｅｂページ作成部３４は、前記電子計算機１０から受信するデータをＵＲＬデコードする機能を有しており、また前記Ｗｅｂページ配信部３５は、予め携帯電話３０に登録済のパスワード等によって電子計算機１０からの接続を希望するユーザの認証を行うユーザ認証機能を有している。
【００１８】
［個人情報管理システムによる処理手順］
次に、以上のような構成の第一実施形態の個人情報管理システムによる個人情報管理処理手順について、図２及び図３を参照して以下説明する。図２は、上記構成の個人情報管理システムによる個人情報のバックアップ処理の手順を示すフローチャートである。また図３は、上記構成の個人情報管理システムによる個人情報の登録処理の手順を示すフローチャートである。
【００１９】
［バックアップ処理］
本実施形態の個人情報管理システムにより携帯電話３０の個人情報をバックアップするには、まず、ユーザが携帯電話３０の操作部３２で当該携帯電話３０をインターネット接続する操作を行う（ステップＳＴ１）。このとき携帯電話３０では、この接続操作によって前記インターネット通信部３３が起動し、インターネット４０への接続がなされると共に、Ｗｅｂページ配信部３５が起動して当該携帯電話３０が前記電子計算機１０からのアクセスに対し待機状態となる。
【００２０】
次に、ユーザは前記電子計算機１０に装備されているＷｅｂブラウザから、バックアップ処理対象の携帯電話３０を指定するためのＵＲＬを入力し、携帯電話３０にアクセスする（ステップＳＴ２）。そして携帯電話事業者２０が、入力されたＵＲＬに基づいてバックアップ処理対象の携帯電話３０への通信を許可した場合には（ステップＳＴ３）、電子計算機１０と携帯電話３０とがインターネット接続された状態となる。尚、上記ＵＲＬが携帯電話事業者２０に予め登録されていない等の理由によって通信が不許可となった場合には、本実施形態の個人情報管理システムによる処理は終了となる。
【００２１】
こうして携帯電話３０への通信が許可されると、前記電子計算機１０からのアクセスに対して前記Ｗｅｂページ配信部３５が応答してユーザ認証を行い（ステップＳＴ４）、ユーザ認証によりアクセスが許可された場合には、前記Ｗｅｂページ作成部３４が起動し、バックアップ処理か登録処理かを選択する処理選択欄と各処理可能な個人情報のメニューリストとを有する選択Ｗｅｂページ１００を、メニューＣＧＩプログラム３４ａによって作成し、この選択Ｗｅｂページ１００を前記Ｗｅｂページ配信部３５が送信する（ステップＳＴ５）。尚、ステップＳＴ４においてユーザ認証によりアクセスが許可されなかった場合には、本実施形態の個人情報管理システムによる処理は終了となる。
【００２２】
そして、ステップＳＴ５において携帯電話３０から送信された選択Ｗｅｂページ１００は、電子計算機１０のＷｅｂブラウザによって、例えば図１のような構成のＷｅｂページ１００として画面表示される（ステップＳＴ６）。この選択Ｗｅｂページ１００のメニューリストには、個人情報の電話帳，画像データ，音声データ等の各選択メニュー項目がリンクされた状態で列挙されている。そこでユーザが、処理選択欄の「バックアップ」を選択し、且つメニューリストの中からバックアップする個人情報の項目を選択すると（ステップＳＴ７）、前記電子計算機１０より、選択されたメニュー項目データがＵＲＬエンコードされた状態で携帯電話３０へ送信される（ステップＳＴ８）。
【００２３】
そして、携帯電話３０側で選択メニュー項目データを受信すると（ステップＳＴ９）、前記Ｗｅｂページ作成部３４が当該選択メニュー項目データをＵＲＬデコードした後、読み込みＣＧＩプログラム３４ｂによって、この受信した選択メニュー項目データに基づいて該当する個人情報の全データを個人情報格納部３１から読み出し、該当個人情報の全データを有するＷｅｂページを作成する（ステップＳＴ１０）。
【００２４】
以上のようにして作成されたＷｅｂページは、前記Ｗｅｂページ配信部３５によって電子計算機１０へ送信され（ステップＳＴ１１）、電子計算機１０のＷｅｂブラウザに例えば図１の画面２００の如く表示される（ステップＳＴ１２）。こうしてユーザは、電子計算機１０により該当個人情報の全データを確認できる状態となる。
【００２５】
そして、上述のように電子計算機１０のＷｅｂブラウザに表示される状態で、ユーザは当該Ｗｅｂブラウザの装備する保存機能を利用することにより、取得した個人情報を電子計算機１０内に保存し、バックアップすることができる（ステップＳＴ１３）。
【００２６】
［個人情報登録処理］
また、上述の如く電子計算機１０にバックアップした個人情報を、電子計算機１０から携帯電話３０に登録する場合の処理手順について、図３を参照して以下説明する。
【００２７】
本実施形態の個人情報管理システムにより電子計算機１０から携帯電話３０へ個人情報を登録するには、まず上述のステップＳＴ１〜ＳＴ６と同様の処理が行われる。具体的には、ユーザが当該携帯電話３０をインターネット接続する操作を行い（ステップＳＴ２１）、続けて前記電子計算機１０のＷｅｂブラウザから当該携帯電話３０にアクセスする（ステップＳＴ２２）。そして、携帯電話事業者２０により当該携帯電話３０への通信が許可され（ステップＳＴ２３）、且つ前記電子計算機１０からのアクセスに対するユーザ認証によりアクセスが許可されると（ステップＳＴ２４）、前記Ｗｅｂページ作成部３４のメニューＣＧＩプログラム３４ａによって作成された前記選択Ｗｅｂページ１００が前記電子計算機１０へ送信され（ステップＳＴ２５）、電子計算機１０のＷｅｂブラウザによって画面表示される（ステップＳＴ２６）。
【００２８】
次に、こうして表示された選択Ｗｅｂページ１００において、ユーザが処理選択欄の「登録」を選択すると共にメニューリストの中から登録を行う個人情報の項目を選択し（ステップＳＴ２７）、登録する個人情報データを前記携帯電話３０に送信する。このとき、前記電子計算機１０からは、登録する個人情報データと共に、ステップＳＴ２７にて選択された選択メニュー項目のデータも、併せてＵＲＬエンコードされた状態で送信される（ステップＳＴ２８）。
【００２９】
尚、登録する個人情報データを送信する場合、電子計算機１０に表示される個人情報のＷｅｂページ２００は、図１のように新たな個人情報を追加入力できる入力フォームと、当該Ｗｅｂページ上の個人情報データを携帯電話に送信するための送信ボタンとを伴っているので、ユーザは、追加したい個人情報を入力フォームに入力する、あるいは不要な個人情報データをＷｅｂページ２００上で削除する等して当該個人情報Ｗｅｂページ２００上に表示される個人情報を更新してから送信ボタンをクリックすれば、更新済の個人情報データがＵＲＬエンコードされた状態で携帯電話３０へ送信されることとなる。勿論、バックアップした個人情報データに上記更新処理を施さずに送信ボタンをクリックすれば、更新されないままの個人情報データがＵＲＬエンコードされた状態で携帯電話３０へ送信される。
【００３０】
こうして送信された選択メニュー項目データと個人情報データとを携帯電話３０側で受信すると（ステップＳＴ２９）、前記Ｗｅｂページ作成部３４が、各受信データのＵＲＬデコード後にどのメニュー項目の個人情報データを受信したのかを選択メニュー項目データより判断する。そして、前記Ｗｅｂページ作成部３４が、書き込みＣＧＩプログラム３４ｃによって受信個人情報データを選択メニュー項目向けのフォーマットに変換した後、この受信個人情報データに基づいて個人情報格納部３１内の該当メニュー項目の個人情報登録処理を行う（ステップＳＴ３０）。
【００３１】
ここで、この登録処理が成功した場合には、書き込みＣＧＩプログラム３４ｃによって登録成功を示すＷｅｂページを作成し、当該Ｗｅｂページを電子計算機１０へ送信する（ステップＳＴ３１）。そして、ユーザはこの登録成功を示すＷｅｂページを電子計算機１０の画面上で確認し（ステップＳＴ３２，ＳＴ３３）、登録処理が終了となる。
【００３２】
また、上記登録処理が失敗した場合には、書き込みＣＧＩプログラム３４ｃによって登録失敗を示すＷｅｂページを作成し、当該Ｗｅｂページを電子計算機１０へ送信する（ステップＳＴ３１）。そして、ユーザはこの登録失敗を示すＷｅｂページを電子計算機１０の画面上で確認し（ステップＳＴ３２，ＳＴ３３）、登録処理を再度行うこととなる。
【００３３】
このように、本実施形態の個人情報管理システムによれば、ユーザは、専用ケーブルによって携帯電話３０と外部装置とを接続する等の作業を行う手間を掛けることなく、手軽に携帯電話３０内の個人情報を電子計算機１０にバックアップしたり、バックアップした個人情報を携帯電話３０に登録したりすることができる。
【００３４】
［緊急時の個人情報管理の処理手順］
また、本発明の個人情報管理システムによれば、上記個人情報管理システムにおける通信端末のＷｅｂページ作成部３４に前記緊急ＣＧＩプログラム３４ｄにより、例えば携帯電話３０を紛失する等の事態が生じても、当該携帯電話３０の拾得者にこの携帯電話３０内の個人情報を取得させないようにすることが可能となる。そこで、上述のような緊急時における処理手順を、図４を参照して説明する。
【００３５】
まず、ユーザは前記電子計算機１０に装備されているＷｅｂブラウザから、バックアップ処理対象の携帯電話３０を指定するための緊急用ＵＲＬを入力し、携帯電話３０にアクセスする（ステップＳＴ４１）。ここで、ユーザが入力する緊急用ＵＲＬは、上記第一実施形態において通常時に入力するＵＲＬとは異なるものである。
【００３６】
そして携帯電話事業者２０が、入力された緊急用ＵＲＬに基づいて処理対象の携帯電話３０への通信を許可した場合には（ステップＳＴ４２）、電子計算機１０と携帯電話３０とがインターネット接続された状態となる。尚、上記緊急用ＵＲＬが携帯電話事業者２０に予め登録されていない等の理由によって通信が不許可となった場合には、本実施形態の個人情報管理システムによる処理は終了となる。
【００３７】
こうして電子計算機１０と携帯電話３０とがインターネット接続された状態で、携帯電話３０側では、前記電子計算機１０からのアクセスに対してＷｅｂページ配信部３５が応答してユーザ認証を行う（ステップＳＴ４３）。このとき、ユーザ認証に利用されるパスワード等についても、上記第一実施形態のユーザ認証に利用されるパスワード等とは異なる緊急用のパスワード等を登録させたり、もしくは緊急用として複数個のパスワード等を登録しておき、登録済の全てのパスワード等を入力できなければアクセスを許可しないようにする等の措置を講ずると、より厳格に不正アクセスの防止を行うことができる。
【００３８】
以上のようにしてユーザ認証がなされ、アクセスが許可された場合には、前記Ｗｅｂページ作成部３４が起動し、緊急ＣＧＩプログラム３４ｄによって個人情報格納部３１内の全ての個人情報データが読み出され、この全個人情報データを有するＷｅｂページを作成する（ステップＳＴ４４）。
【００３９】
そして、上述の如く作成されたＷｅｂページは前記Ｗｅｂページ配信部３５によって送信され（ステップＳＴ４５）、電子計算機１０のＷｅｂブラウザに表示される（ステップＳＴ４６）。こうしてユーザは、電子計算機１０により携帯電話に保存していた全ての個人情報データを確認できる状態となり、この状態で当該Ｗｅｂブラウザの装備する保存機能を利用することにより、全個人情報を電子計算機１０内に保存することができる（ステップＳＴ４７）。
【００４０】
また、携帯電話３０側では、ステップＳＴ４５による全個人情報の送信処理が完了すると、緊急ＣＧＩプログラム３４ｄによって個人情報格納部３１に格納されている全個人情報を消去する処理が行われる（ステップＳＴ４８）。こうして緊急時の全処理が終了となる。
【００４１】
以上のような処理がなされることにより、ユーザは、携帯電話３０を紛失した場合にも、その携帯電話３０内の個人情報をバックアップした上で携帯電話３０内の個人情報を自動的に全消去することができるため、紛失した携帯電話３０内の個人情報を他人に悪用されることを防止できる。尚、紛失した携帯電話３０が発見された場合には、前記緊急ＣＧＩプログラム３４ｄによってバックアップ済の個人情報を、上記第一実施形態における処理手順に従って登録し直せばよい。
【００４２】
【発明の効果】
以上説明したように、本発明によれば、専用ケーブルによって通信端末と外部装置とを接続する等の作業を行う手間を掛けることなく、手軽に通信端末内の個人情報の管理を行うことができる。また、通信端末を紛失した場合にも、その通信端末内の個人情報をバックアップした上で当該通信端末内の個人情報を自動的に全消去するといった個人情報の管理を容易に行うことができ、しかも紛失した通信端末内の個人情報を拾得者に勝手に悪用されることを事前に防止することができる。
【図面の簡単な説明】
【図１】本発明の一実施形態に係る通信端末における個人情報管理システムの概略構成図である
【図２】図１の個人情報管理システムによる個人情報のバックアップ処理の手順を示すフローチャートである。
【図３】図１の個人情報管理システムによる個人情報の登録処理の手順を示すフローチャートである。
【図４】図１の個人情報管理システムによる緊急時の個人情報管理処理の手順を示すフローチャートである。
【符号の説明】
１０…電子計算機、２０…携帯電話事業者、３０…通信端末（携帯電話）、３１…個人情報格納部、３２…操作部、３３…インターネット通信部、３４…Ｗｅｂページ作成部、３４ａ…メニューＣＧＩプログラム、３４ｂ…読み込みＣＧＩプログラム、３４ｃ…書き込みＣＧＩプログラム、３４ｄ…緊急ＣＧＩプログラム、３５…Ｗｅｂページ配信部、４０…インターネット、５０…携帯電話網、１００…選択Ｗｅｂページ、２００…個人情報Ｗｅｂページ。
【図１】
2005057333.tif 000003
【図２】
2005057333.tif 000004
【図３】
2005057333.tif 000005
【図４】
2005057333.tif 000006